(57)【特許請求の範囲】
【請求項１】
吹出口（１５）から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、
前記吹出空気の上下方向を変更する可動の第１風向調整板（３１）と、
前記吹出口（１５）の近傍に設けられ、収容時に少なくとも先端部が送風路の外側において室内機前面部に収容される第２風向調整板（３２）と、
前記第１風向調整板（３１）及び前記第２風向調整板（３２）の姿勢を制御する制御部（４０）と、
を備え、
運転停止時および運転時の前記室内機前面部の姿勢が同じであり、
前記コアンダ効果利用モードにおいて、前記制御部（４０）は、前記第２風向調整板（３２）が前記室内機前面部から離間してその後端部の高さ位置が運転停止時よりも低くなる姿勢をとると共に前記第２風向調整板（３２）と前記第１風向調整板（３１）とが所定角度を成すように前記第１風向調整板（３１）及び前記第２風向調整板（３２）の姿勢を制御して、前記吹出空気を前記コアンダ効果により風向変更して前記第２風向調整板（３２）の下面に沿わせた斜め上方へのコアンダ気流にする、
空調室内機（１０）。
【請求項２】
吹出口（１５）から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、
前記吹出空気の上下方向を変更する可動の第１風向調整板（３１）と、
前記吹出口（１５）の近傍に設けられ、収容時に少なくとも先端部が送風路の外側において室内機前面部に収容される第２風向調整板（３２）と、
前記第１風向調整板（３１）及び前記第２風向調整板（３２）の姿勢を制御する制御部（４０）と、
を備え、
前記コアンダ効果利用モードにおいて、前記制御部（４０）は、前記第２風向調整板（３２）が前記室内機前面部から離間してその後端部の高さ位置が運転停止時よりも低くなる姿勢をとって前記第２風向調整板（３２）の後端が前記吹出空気の流れの中に入り込むと共に前記第２風向調整板（３２）と前記第１風向調整板（３１）とが所定角度を成すように前記第１風向調整板（３１）及び前記第２風向調整板（３２）の姿勢を制御して、前記吹出空気を前記コアンダ効果により風向変更して前記第２風向調整板（３２）の下面に沿わせた斜め上方へのコアンダ気流にする、
空調室内機（１０）。
【請求項３】
空気調和された空気を前記吹出口（１５）まで導くスクロール（１７）をさらに備え、
前記第１風向調整板（３１）は内側円弧面（３１ｂ）を有し、
前記第２風向調整板（３２）は外側円弧面（３２ａ）を有し、
前記制御部（４０）が前記コアンダ効果利用モードを実行するとき、前記第１風向調整板（３１）及び前記第２風向調整板（３２）は、
前記スクロール（１７）の終端部の接線と前記第２風向調整板（３２）の前記外側円弧面（３２ａ）の前方端における接線とが成す内角が、前記スクロール（１７）の終端部の接線と前記第１風向調整板（３１）の前記内側円弧面（３１ｂ）の前方端における接線とが成す内角よりも大きい、
という条件を満たす姿勢をとる、
請求項１又は請求項２に記載の空調室内機（１０）。
【請求項４】
前記コアンダ効果利用モードにおいて、前記第２風向調整板（３２）の先端部は水平より前方上向きとなる、
請求項１から請求項３のいずれか１項に記載の空調室内機（１０）。
【請求項５】
前記コアンダ効果利用モードにおいて、前記第２風向調整板（３２）の先端部は前記吹出口（１５）よりも上方に位置する、
請求項４に記載の空調室内機（１０）。
【請求項６】
前記コアンダ効果利用モードにおいて、前記第２風向調整板（３２）の先端部は前記吹出口（１５）より外側に突出する、
請求項１から請求項５のいずれか１項に記載の空調室内機（１０）。
【請求項７】
前記コアンダ効果利用モードにおいて、前記第２風向調整板（３２）は前方に行くにしたがって前記室内機前面部から離れるような姿勢に制御される、
請求項６に記載の空調室内機（１０）。
【請求項８】
前記第２風向調整板（３２）の長手方向の寸法は、前記第１風向調整板（３１）の長手方向の寸法以上である、
請求項１から請求項７のいずれか１項に記載の空調室内機（１０）。
【請求項９】
前記第２風向調整板（３２）は所定の回動軸（３２１）を中心に回動し、
前記回動軸（３２１）は、前記送風路から外れた場所に設けられている、
請求項１から請求項８のいずれか１項に記載の空調室内機（１０）。
【請求項１０】
前記制御部（４０）は、前記第１風向調整板（３１）及び前記第２風向調整板（３２）それぞれの先端を前方下向きにして前記吹出空気を下方に導く、下吹きモードを有する、
請求項１又は請求項２に記載の空調室内機（１０）。
【発明の詳細な説明】
【技術分野】
【０００１】
本発明は、空調室内機に関する。
【背景技術】
【０００２】
空気調和装置において、部屋全体の温度分布を均一にするためには、吹出空気を遠くへ到達させる必要がある。例えば、特許文献１（特開２００２−６１９３８号公報）に開示されている空気調和機では、前面パネルの前面傾斜部が天井に向けてなだらかに傾斜する形状を成している。吹出口から吹き出された調和空気が上下風向板によって前面傾斜部へ偏向されたとき、その調和空気は前面傾斜部に沿って天井方向に導かれる。その結果、調和空気を天井面に沿ってより遠くへ到達させることができる。
【発明の概要】
【発明が解決しようとする課題】
【０００３】
しかしながら、上記のような空気調和機では、調和空気を前面パネルに向わせるために、上下風向板が吹出口上端部に近づき、吹出口を閉塞気味にするので、圧力損失が大きくなる。
【０００４】
本発明の課題は、圧力損失をそれほど大きくすることなく吹出空気を所定方向に誘導することができる空調室内機を提供することにある。
【課題を解決するための手段】
【０００５】
本発明の第１観点に係る空調室内機は、吹出口から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、第１風向調整板と、第２風向調整板と、制御部とを備えている。第１風向調整板は、吹出空気の上下方向を変更する可動の調整板である。第２風向調整板は、吹出口の近傍に設けられ、収容時に少なくとも先端部が送風路の外側において室内機前面部に収容される。制御部は、第１風向調整板および第２風向調整板の姿勢を制御する。なお、運転停止時および運転時の室内機前面部の姿勢は同じである。また、コアンダ効果利用モードにおいて、制御部は、第２風向調整板が室内機前面部から離間してその後端部の高さ位置が運転停止時よりも低くなる姿勢をとると共に第２風向調整板と第１風向調整板とが所定角度を成すように第１風向調整板および第２風向調整板の姿勢を制御して、吹出空気をコアンダ効果により風向変更して第２風向調整板の下面に沿わせた斜め上方へのコアンダ気流にする。
【０００６】
この空調室内機では、コアンダ効果利用モードを実行することによって、第１風向調整板で風向調節された吹出空気をコアンダ効果によって室内機前面部から離れた第２風向調整板の下面に沿って流れるコアンダ気流にすることができる。その結果、前面パネルに沿わせた気流を生じさせる従来構成と比べて、吹出口が開き気味のまま、吹出空気が所定方向へ誘導されることが可能となる。つまり、通風抵抗が低く保たれた状態で吹出空気が所定方向へ誘導される。
【０００７】
また、第２風向調整板の後端部が第１風向調整板で風向調節された吹出空気の進行路上流側に進入するので、後端部が不動のタイプとの比較において、より上流側でのコアンダ効果によるコアンダ気流が生成し易くなる。
【０００８】
本発明の第２観点に係る空調室内機は、吹出口から吹き出される吹出空気の流れを、その流れのそばにあってその流れと異なる方向の面に沿った方向へ気体が流れようとする現象であるコアンダ効果を利用して所定の方向へ誘導するコアンダ効果利用モードを有する空調室内機であって、第１風向調整板と、第２風向調整板と、制御部とを備えている。第１風向調整板は、吹出空気の上下方向を変更する可動の調整板である。第２風向調整板は、吹出口の近傍に設けられ、収容時に少なくとも先端部が送風路の外側において室内機前面部に収容される。制御部は、第１風向調整板および第２風向調整板の姿勢を制御する。また、コアンダ効果利用モードにおいて、制御部は、第２風向調整板が室内機前面部から離間してその後端部の高さ位置が運転停止時よりも低くなる姿勢をとって第２風向調整板の後端が吹出空気の流れの中に入り込むと共に第２風向調整板と第１風向調整板とが所定角度を成すように第１風向調整板および第２風向調整板の姿勢を制御して、吹出空気をコアンダ効果により風向変更して第２風向調整板の下面に沿わせた斜め上方へのコアンダ気流にする。
【０００９】
この空調室内機では、コアンダ効果利用モードを実行することによって、第１風向調整板で風向調節された吹出空気をコアンダ効果によって室内機前面部から離れた第２風向調整板の下面に沿って流れるコアンダ気流にすることができる。その結果、前面パネルに沿わせた気流を生じさせる従来構成と比べて、吹出口が開き気味のまま、吹出空気が所定方向へ誘導されることが可能となる。つまり、通風抵抗が低く保たれた状態で吹出空気が所定方向へ誘導される。
【００１０】
また、第２風向調整板の後端部が第１風向調整板で風向調節された吹出空気の進行路上流側に進入するので、後端部が不動のタイプとの比較において、より上流側でのコアンダ効果によるコアンダ気流が生成し易くなる。
【００１１】
本発明の第３観点に係る空調室内機は、第１観点又は第２観点に係る空調室内機であって、空気調和された空気を吹出口まで導くスクロールをさらに備えている。第１風向調整板は内側円弧面を有している。また、第２風向調整板は外側円弧面を有している。制御部がコアンダ効果利用モードを実行するとき、第１風向調整板および第２風向調整板は、スクロールの終端部の接線と第２風向調整板の外側円弧面の前方端における接線とが成す内角が、スクロールの終端部の接線と第１風向調整板の内側円弧面の前方端における接線とが成す内角よりも大きい、という条件を満たす姿勢をとる。
【００１２】
この空調室内機では、吹出空気がスクロールの終端部の接線方向から大幅に偏向されることが可能となる。それゆえ、吹出空気が天井面に向けられ、且つ天井面に沿って遠くまで届けられる。
【００１３】
本発明の第４観点に係る空調室内機は、第１観点から第３観点のいずれか１つに係る空調室内機であって、コアンダ効果利用モードにおいて、第２風向調整板の先端部は水平より前方上向きとなる。
【００１４】
この空調室内機では、第１風向調整板で風向調節された吹出空気が水平、若しくは、やや下向きであってもコアンダ効果によって上向きの空気となるので、吹出口通過直後の空気が無理に上向きにされる必要がない。つまり、第１風向調整板の通風抵抗による圧損が抑制されつつ風向が変更される。
【００１５】
本発明の第５観点に係る空調室内機は、第４観点に係る空調室内機であって、コアンダ効果利用モードにおいて、第２風向調整板の先端部は吹出口よりも上方に位置する。
【００１６】
例えば、第２風向調整板の先端が送風路内にある場合、第２風向調整板の下面に沿ったコアンダ気流が第２風向調整板の上側を通過した吹出空気と干渉し、上向きの気流の進行が阻害される可能性がある。
【００１７】
これに対し、この空調室内機では、第２風向調整板の先端部が吹出口よりも上方に位置するため、第２風向調整板の上側で強い気流の発生は抑制される。それゆえ、コアンダ気流の上方への誘導が阻害されにくくなる。
【００１８】
本発明の第６観点に係る空調室内機は、第１観点から第５観点のいずれか１つに係る空調室内機であって、コアンダ効果利用モードにおいて、第２風向調整板の先端部は吹出口より外側に突出する。
【００１９】
この空調室内機では、第２風向調整板の先端部が吹出口より外側に突出することによって、コアンダ気流がより遠方に到達するようになる。
【００２０】
本発明の第７観点に係る空調室内機は、第６観点に係る空調室内機であって、コアンダ効果利用モードにおいて、第２風向調整板は前方に行くにしたがって室内機前面部から離れるような姿勢に制御される。
【００２１】
この空調室内機では、コアンダ気流が吸込口から遠ざかるので、ショートサーキットが防止される。
【００２２】
本発明の第８観点に係る空調室内機は、第１観点から第７観点のいずれか１つに係る空調室内機であって、第２風向調整板の長手方向の寸法は、第１風向調整板の長手方向の寸法以上である。
【００２３】
この空調室内機では、第１風向調整板で風向調節された吹出空気すべてを第２風向調整板が受けるので、第２風向調整板の側方から吹出空気がショートサーキットすることが防止される。
【００２４】
本発明の第９観点に係る空調室内機は、第１観点から第８観点のいずれか１つに係る空調室内機であって、第２風向調整板が所定の回動軸を中心に回動する。その回動軸は、送風路から外れた場所に設けられている。
【００２５】
この空調室内機では、第２風向調整板は、回動によって、後端部の高さ位置が運転停止時よりも低くなる姿勢をとる。それゆえ、後端部が第１風向調整板で風向調節された吹出空気の進行路の上流側に進入するので、より上流側で、コアンダ効果によるコアンダ気流が生成し易くなる。
【００２６】
本発明の第１０観点に係る空調室内機は、第１観点又は第２観点に係る空調室内機であって、制御部が下吹きモードを有する。下吹きモードは、第１風向調整板および第２風向調整板それぞれの先端を前方下向きにして吹出空気を下方に導くモードである。
【００２７】
この空調室内機では、下吹きモードでは、風向をより下向きにすることができる。特に、第１風向調整板がスクロールの終端部の接線方向より下向きになったときなどは、第１風向調整板だけでは風向制御が容易ではないが、第２風向調整板があることによって下向きの気流が生成され易くなる。
【発明の効果】
【００２８】
本発明の第１観点又は第２観点に係る空調室内機では、制御部がコアンダ効果利用モードを実行することによって、第１風向調整板で風向調節された吹出空気をコアンダ効果によって室内機前面部から離れた第２風向調整板の下面に沿って流れるコアンダ気流にすることができる。その結果、前面パネルに沿わせた気流を生じさせる従来構成と比べて、吹出口が開き気味のまま、吹出空気が所定方向へ誘導されることが可能となる。つまり、通風抵抗が低く保たれた状態で吹出空気が所定方向へ誘導される。
【００２９】
本発明の第３観点に係る空調室内機では、吹出空気がスクロールの終端部の接線方向から大幅に偏向されることが可能となる。それゆえ、吹出空気が天井面に向けられ、且つ天井面に沿って遠くまで届けられる。
【００３０】
本発明の第４観点に係る空調室内機では、第１風向調整板で風向調節された吹出空気が水平、若しくは、やや下向きであってもコアンダ効果によって上向きの空気となるので、吹出口通過直後の空気が無理に上向きにされる必要がない。つまり、第１風向調整板の通風抵抗による圧損が抑制されつつ風向が変更される。
【００３１】
本発明の第５観点に係る空調室内機では、第２風向調整板の先端部が吹出口よりも上方に位置するため、第２風向調整板の上側で強い気流の発生は抑制される。それゆえ、コアンダ気流の上方への誘導が阻害されにくくなる。
【００３２】
本発明の第６観点に係る空調室内機では、第２風向調整板の先端部が吹出口より外側に突出することによって、コアンダ気流がより遠方に到達するようになる。
【００３３】
本発明の第７観点に係る空調室内機では、コアンダ気流が吸込口から遠ざかるので、ショートサーキットが防止される。
【００３４】
本発明の第８観点に係る空調室内機では、第１風向調整板で風向調節された吹出空気すべてを第２風向調整板が受けるので、第２風向調整板の側方から吹出空気がショートサーキットすることが防止される。
【００３５】
本発明の第９観点に係る空調室内機では、第２風向調整板は、回動によって、後端部の高さ位置が運転停止時よりも低くなる姿勢をとる。それゆえ、後端部が第１風向調整板で風向調節された吹出空気の進行路の上流側に進入するので、より上流側で、コアンダ効果によるコアンダ気流が生成し易くなる。
【００３６】
本発明の第１０観点に係る空調室内機では、下吹きモードでは、風向をより下向きにすることができる。特に、第１風向調整板がスクロールの終端部の接線角度より下向きになったときなどは、第１風向調整板だけでは風向制御が容易ではないが、第２風向調整板があることによって下向きのコアンダ気流が生成され易くなる。
【図面の簡単な説明】
【００３７】
【図１】本発明の一実施形態に係る運転停止時の空調室内機の断面図。
【図２】運転時の空調室内機の断面図。
【図３Ａ】吹出空気が通常前吹き時の第１風向調整板および第２風向調整板の側面図。
【図３Ｂ】吹出空気が通常前方下吹き時の第１風向調整板および第２風向調整板の側面図。
【図３Ｃ】コアンダ気流前方吹き時の第１風向調整板および第２風向調整板の側面図。
【図３Ｄ】コアンダ気流天井吹き時の第１風向調整板および第２風向調整板の側面図。
【図３Ｅ】下吹き時の第１風向調整板および第２風向調整板の側面図。
【図４Ａ】吹出空気の方向およびコアンダ気流の方向を示す概念図。
【図４Ｂ】第１風向調整板と第２風向調整板との開き角度の一例を表す概念図。
【図５Ａ】コアンダ気流前方吹き時のスクロールの終端Ｆの接線と第２風向調整板とが成す内角と、スクロールの終端Ｆの接線と第１風向調整板とが成す内角との比較図。
【図５Ｂ】コアンダ気流天井吹き時のスクロールの終端Ｆの接線と第２風向調整板とが成す内角と、スクロールの終端Ｆの接線と第１風向調整板とが成す内角との比較図。
【発明を実施するための形態】
【００３８】
以下、図面を参照しながら、本発明の実施形態について説明する。なお、以下の実施形態は、本発明の具体例であって、本発明の技術的範囲を限定するものではない。
【００３９】
（１）空調室内機１０の構成
図１は、本発明の一実施形態に係る運転停止時の空調室内機１０の断面図である。また、図２は、運転時の空調室内機１０の断面図である。図１及び図２において、空調室内機１０は壁掛けタイプであり、本体ケーシング１１、室内熱交換器１３、室内ファン１４、底フレーム１６、及び制御部４０が搭載されている。
【００４０】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００４１】
天面部１１ａは、本体ケーシング１１の上部に位置し、天面部１１ａの前部には、吸込口（図示せず）が設けられている。
【００４２】
前面パネル１１ｂは室内機の前面部を構成しており、吸込口がないフラットな形状を成している。また、前面パネル１１ｂは、その上端が天面部１１ａに回動自在に支持され、ヒンジ式に動作することができる。
【００４３】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００４４】
本体ケーシング１１の下部には、吹出口１５が設けられている。吹出口１５には、吹出口１５から吹き出される吹出空気の方向を変更する第１風向調整板３１が回動自在に取り付けられている。第１風向調整板３１は、モータ（図示せず）によって駆動し、吹出空気の方向を変更するだけでなく、吹出口１５を開閉することもできる。第１風向調整板３１は、傾斜角が異なる複数の姿勢をとることが可能である。
【００４５】
また、吹出口１５の近傍には第２風向調整板３２が設けられている。第２風向調整板３２は、モータ（図示せず）によって前後方向に傾斜した姿勢をとることが可能であり、運転停止時に前面パネル１１ｂに設けられた収容部１３０に収容される。第２風向調整板３２は、傾斜角が異なる複数の姿勢をとることが可能である。
【００４６】
また、吹出口１５は、吹出流路１８によって本体ケーシング１１の内部と繋がっている。吹出流路１８は、吹出口１５から底フレーム１６のスクロール１７に沿って形成されている。
【００４７】
室内空気は、室内ファン１４の稼動によって吸込口、室内熱交換器１３を経て室内ファン１４に吸い込まれ、室内ファン１４から吹出流路１８を経て吹出口１５から吹き出される。
【００４８】
制御部４０は、本体ケーシング１１を前面パネル１１ｂから視て室内熱交換器１３及び室内ファン１４の右側方に位置しており、室内ファン１４の回転数制御、第１風向調整板３１及び第２風向調整板３２の動作制御を行う。
【００４９】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さは第２風向調整板３２の厚み寸法に合うように設定されており、第２風向調整板３２が収容される収容部１３０を成している。収容部１３０の表面もなだらかな円弧曲面である。
【００５０】
（２−２）吹出口１５
図１に示すように、吹出口１５は、本体ケーシング１１の下部に形成されており、横方向（図１紙面と直交する方向）を長辺とする長方形の開口である。吹出口１５の下端は下部水平板１１ｄの前方エッジに接しており、吹出口１５の下端と上端とを結ぶ仮想面は前方上向きに傾斜している。
【００５１】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に第１風向調整板３１がなければ、吹出口１５から吹き出される吹出空気の風向は、スクロール１７の終端Ｆの接線Ｌ０に概ね沿った方向である。
【００５２】
（２−４）垂直風向調整板２０
垂直風向調整板２０は、図１及び図２に示すように、複数の羽根片２０１と、複数の羽根片２０１を連結する連結棒２０３を有している。また、垂直風向調整板２０は、吹出流路１８において、第１風向調整板３１よりも室内ファン１４近傍に配置されている。
【００５３】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００５４】
（２−５）第１風向調整板３１
第１風向調整板３１は、吹出口１５を塞ぐことができる程度の面積を有している。第１風向調整板３１が吹出口１５を閉じた状態において、その外側面３１ａは前面パネル１１ｂの曲面の延長上にあるような外側に凸のなだらかな円弧曲面に仕上げられている。また、第１風向調整板３１の内側面３１ｂ（図２参照）も、外面にほぼ平行な円弧曲面を成している。
【００５５】
第１風向調整板３１は、下端部に回動軸３１１を有している。回動軸３１１は、吹出口１５の下端近傍で、本体ケーシング１１に固定されているステッピングモータ（図示せず）の回転軸に連結されている。
【００５６】
回動軸３１１が図１正面視反時計方向に回動することによって、第１風向調整板３１の上端が吹出口１５の上端側から遠ざかるように動作して吹出口１５を開ける。逆に、回動軸３１１が図１正面視時計方向に回動することによって、第１風向調整板３１の上端が吹出口１５の上端側へ近づくように動作して吹出口１５を閉じる。
【００５７】
第１風向調整板３１が吹出口１５を開けている状態において、吹出口１５から吹き出された吹出空気は、第１風向調整板３１の内側面３１ｂに概ね沿って流れる。すなわち、スクロール１７の終端Ｆの接線方向に概ね沿って吹き出された吹出空気は、その風向が第１風向調整板３１によってやや上向きに変更される。
【００５８】
（２−６）第２風向調整板３２
第２風向調整板３２は、空調運転が停止している間や後述する通常吹出モードでの運転では収容部１３０に収納されている。第２風向調整板３２は回動することによって収容部１３０から離れる。第２風向調整板３２の回動軸３２１は、収容部１３０の下端近傍で且つ本体ケーシング１１の内側の位置（吹出流路１８上壁の上方の位置）に設けられており、第２風向調整板３２の下端部と回動軸３２１とは所定の間隔を保って連結されている。それゆえ、回動軸３２１が回動して第２風向調整板３２が室内機前面部の収容部１３０から離れるほど、第２風向調整板３２の下端の高さ位置は低くなるように回転する。また、第２風向調整板３２が回転して開いたときの傾斜は室内機前面部の傾斜よりも緩やかである。
【００５９】
本実施形態では、収容部１３０は、送風路の外に設けられており、収容時に第２風向調整板３２の全体が送風路の外側に収容される。かかる構造に代えて、第２風向調整板３２の一部のみが送風路の外側に収容され、残りが送風路内（たとえば、送風経路の上壁部）に収容されるようにしてもよい。
【００６０】
また、回動軸３２１が図１正面視反時計方向に回動することによって、第２風向調整板３２の上端および下端ともに円弧を描きながら収容部１３０から離れるが、そのとき、上端と吹出口より上方の室内機前面部の収容部１３０との最短距離は、下端と収容部１３０との最短距離より大きい。すなわち、第２風向調整板３２は前方に行くにしたがって前記室内機前面部から離れるような姿勢に制御される。そして、回動軸３２１が図１正面視時計方向に回動することによって、第２風向調整板３２は収容部１３０に近づき、最終的に収容部１３０に収容される。第２風向調整板３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００６１】
第２風向調整板３２が収容部１３０に収容された状態で、第２風向調整板３２の外側面３２ａは前面パネル１１ｂのなだらかな円弧曲面の延長上にあるような外側に凸のなだらかな円弧曲面に仕上げられている。また、第２風向調整板３２の内側面３２ｂは、収容部１３０の表面に沿うような円弧曲面に仕上げられている。
【００６２】
また、第２風向調整板３２の長手方向の寸法は、第１風向調整板３１の長手方向の寸法以上となるように設定されている。この理由は第１風向調整板３１で風向調節された吹出空気すべてを第２風向調整板３２で受けるためであり、その目的は第２風向調整板３２の側方からの吹出空気がショートサーキットすることを防止することである。
【００６３】
（３）吹出空気の方向制御
本実施形態の空調室内機は、吹出空気の方向を制御する手段として、第１風向調整板３１のみを回動させて吹出空気の方向を調整する通常吹出モードと、第１風向調整板３１及び第２風向調整板３２を回動させてコアンダ効果によって吹出空気を第２風向調整板３２の外側面３２ａに沿わせたコアンダ気流にするコアンダ効果利用モードと、第１風向調整板３１及び第２風向調整板３２それぞれの先端を前方下向きにして吹出空気を下方に導く下吹きモードを有している。
【００６４】
第１風向調整板３１及び第２風向調整板３２は、上記各モードにおいて空気の吹出方向ごとに姿勢が変化するので、各姿勢について図３Ａ〜図３Ｅを参照しながら説明する。なお、吹出方向の選択は、ユーザーがリモコン等を介して行なうことができるものとする。また、モードの変更や吹出方向は自動的に変更されるように制御することも可能である。
【００６５】
（３−１）通常吹出モード
通常吹出モードは、第１風向調整板３１のみを回動させて吹出空気の方向を調整するモードであり、「通常前吹き」と「通常前方下吹き」とを含む。
【００６６】
（３−１−１）通常前吹き
図３Ａは、吹出空気が通常前吹き時の第１風向調整板３１及び第２風向調整板３２の側面図である。図３Ａにおいて、ユーザーが「通常前吹き」を選択したとき、制御部４０は第１風向調整板３１の内側面３１ｂが略水平になる位置まで第１風向調整板３１を回動させる。なお、本願実施形態のように第１風向調整板３１の内側面３１ｂが円弧曲面をなしている場合は、内側面３１ｂの前方端Ｅ１における接線が略水平になるまで第１風向調整板３１を回動させる。その結果、吹出空気は、前吹き状態となる。
【００６７】
（３−１−２）通常前方下吹き
図３Ｂは、吹出空気が通常前方下吹き時の第１風向調整板３１及び第２風向調整板３２の側面図である。図３Ｂにおいて、ユーザーは吹出方向を「通常前吹き」よりも下方に向けたいとき、「通常前方下吹き」を選択すればよい。
【００６８】
このとき、制御部４０は、第１風向調整板３１の内側面３１ｂの前方端Ｅ１における接線が水平よりも前下がりになるまで第１風向調整板３１を回動させる。その結果、吹出空気は、前方下吹き状態となる。
【００６９】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００７０】
また、吹出空気の方向およびコアンダ気流の方向については、基準位置の取り方次第で定義の方法が異なるが、以下に一例を示す。図４Ａは、吹出空気の方向およびコアンダ気流の方向を示す概念図である。図４Ａにおいて、第２風向調整板３２の外側面３２ａ側にコアンダ効果を生じさせるには、第１風向調整板３１によって変更された吹出空気の方向（Ｄ１）の傾斜が第２風向調整板３２の姿勢（傾斜）に近くなる必要がある。両者が離れすぎているとコアンダ効果が生じない。そのため、本コアンダ効果利用モードでは、第２風向調整板３２と第１風向調整板３１とが所定の開き角度以下になる必要があり、両調整板（３１、３２）がその範囲内を成すようにして、上記の関係が成立するようにしている。これにより、図４Ａに示すように、吹出空気の風向が第１風向調整板３１によってＤ１に変更された後、さらにコアンダ効果によりＤ２に変更される。
【００７１】
また、本実施形態のコアンダ効果利用モードでは、第２風向調整板３２が第１風向調整板３１の前方（吹出の下流側）かつ上方の位置あるのが好ましい。
【００７２】
また、第１風向調整板３１と第２風向調整板３２との開き角度については、基準位置の取り方次第で定義の方法が異なるが、以下に一例を示す。図４Ｂは、第１風向調整板３１と第２風向調整板３２との開き角度の一例を表す概念図である。図４Ｂにおいて、第１風向調整板３１の内側面３１ｂの前後端を結ぶ直線と水平線との角度を第１風向調整板３１の傾斜角θ１とし、第２風向調整板３２の外側面３２ａの前後端を結ぶ直線と水平線との角度を第２風向調整板３２の傾斜角θ２としたとき、第１風向調整板３１と第２風向調整板３２との開き角度θ＝θ２−θ１である。なお、θ１及びθ２は絶対値ではなく、図４Ｂ正面視において水平線よりも下方となる場合は負の値である。
【００７３】
「コアンダ気流前方吹き」および「コアンダ気流天井吹き」ともに、第１風向調整板３１および第２風向調整板３２は、スクロール１７の終端Ｆの接線と第２風向調整板３２とが成す内角が、スクロール１７の終端Ｆの接線と第１風向調整板３１とが成す内角よりも大きい、という条件を満たす姿勢をとるのが好ましい。
【００７４】
なお、内角については、図５Ａ（コアンダ気流前方吹き時のスクロール１７の終端Ｆの接線Ｌ０と第２風向調整板３２とが成す内角Ｒ２と、スクロール１７の終端Ｆの接線Ｌ０と第１風向調整板３１とが成す内角Ｒ１との比較図）、および図５Ｂ（コアンダ気流天井吹き時のスクロール１７の終端Ｆの接線Ｌ０と第２風向調整板３２とが成す内角Ｒ２と、スクロール１７の終端Ｆの接線Ｌ０と第１風向調整板３１とが成す内角Ｒ１との比較図）を参照のこと。
【００７５】
また、図５Ａ及び図５Ｂに示すように、コアンダ効果利用モードにおける第２風向調整板３２では、第２風向調整板３２の先端部が水平より前方上向で、吹出口１５よりも外側上方に位置する。その結果、コアンダ気流はより遠方に到達する上に、第２風向調整板の上側を通過するような強い気流の発生は抑制され、コアンダ気流の上方への誘導が阻害されにくくなる。
【００７６】
また、第２風向調整板３２の後端部の高さ位置は運転停止時よりも低くなっているので、上流側でのコアンダ効果によるコアンダ気流が生成し易い。
【００７７】
（３−２−１）コアンダ気流前方吹き
図３Ｃは、コアンダ気流前方吹き時の第１風向調整板３１及び第２風向調整板３２の側面図である。図３Ｃにおいて、「コアンダ気流前方吹き」が選択されたとき、制御部４０は、第１風向調整板３１の内側面３１ｂの前方端Ｅ１における接線Ｌ１が水平よりも前下がりになるまで第１風向調整板３１を回動させる。
【００７８】
次に、制御部４０は、第２風向調整板３２の外側面３２ａが略水平になる位置まで第２風向調整板３２を回動させる。なお、本願実施形態のように第２風向調整板３２の外側面３２ａが円弧曲面をなしている場合は、外側面３２ａの前方端Ｅ２における接線Ｌ２が略水平になるまで第２風向調整板３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７９】
第１風向調整板３１で前方下吹きに調整された吹出空気は、コアンダ効果によって第２風向調整板３２の外側面３２ａに付着した流れとなり、この外側面３２ａに沿ったコアンダ気流に変わる。
【００８０】
したがって、第１風向調整板３１の前方端Ｅ１における接線Ｌ１方向が前方下吹きであっても、第２風向調整板３２の前方端Ｅ２における接線Ｌ２方向が水平であるので、吹出空気は、コアンダ効果によって第２風向調整板３２の外側面３２ａの前方端Ｅ２における接線Ｌ２方向、すなわち水平方向に吹き出される。
【００８１】
このように、第２風向調整板３２が室内機前面部から離れて傾斜が緩やかになり、吹出空気が前面パネル１１ｂよりも前方でコアンダ効果を受け易くなる。その結果、第１風向調整板３１で風向調節された吹出空気が前方下吹きであっても、コアンダ効果によって水平吹きの空気となる。これは、吹出口通過直後の空気を前面パネルに近づけて前面パネルのコアンダ効果で上向きにする従来（特許文献１）の方法に比べて、第１風向調整板３１の通風抵抗による圧損が抑制されつつ風向が変更される。
【００８２】
（３−２−２）コアンダ気流天井吹き
図３Ｄは、コアンダ気流天井吹き時の第１風向調整板３１及び第２風向調整板３２の側面図である。図３Ｄにおいて、「コアンダ気流天井吹き」が選択されたとき、制御部４０は第１風向調整板３１の内側面３１ｂの前方端Ｅ１における接線Ｌ１が水平になるまで第１風向調整板３１を回動させる。
【００８３】
次に、制御部４０は、外側面３２ａの前方端Ｅ２における接線Ｌ２が前方上向きとなるまで第２風向調整板３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。第１風向調整板３１で水平吹きに調整された吹出空気は、コアンダ効果によって第２風向調整板３２の外側面３２ａに付着した流れとなり、この外側面３２ａに沿ったコアンダ気流に変わる。
【００８４】
したがって、第１風向調整板３１の前方端Ｅ１における接線Ｌ１方向が前方吹きであっても、第２風向調整板３２の前方端Ｅ２における接線Ｌ２方向が前方上吹きであるので、吹出空気は、コアンダ効果によって第２風向調整板３２の外側面３２ａの前方端Ｅ２における接線Ｌ２方向、すなわち天井方向に吹き出される。第２風向調整板３２の先端部は吹出口１５より外側に突出しているので、コアンダ気流はより遠方に到達する。さらに、第２風向調整板３２の先端部は吹出口１５よりも上方に位置しているので、第２風向調整板の上側を通過するような気流の発生は抑制され、コアンダ気流の上方への誘導が阻害されにくい。
【００８５】
このように、第２風向調整板３２が室内機前面部から離れて傾斜が緩やかになり、吹出空気が前面パネル１１ｂよりも前方でコアンダ効果を受け易くなる。その結果、第１風向調整板３１で風向調節された吹出空気が前方吹きであっても、コアンダ効果によって上向きの空気となる。これは、吹出口通過直後の空気を前面パネルに近づけて前面パネルのコアンダ効果で上向きにする従来（特許文献１）の方法に比べて、第１風向調整板３１の通風抵抗による圧損が抑制されつつ風向が変更される。
【００８６】
その結果、前面パネルに沿わせた気流を生じさせる特許文献１に記載の発明と比べて、吹出口１５が開き気味のまま、吹出空気が天井方向へ誘導される。つまり、通風抵抗が低く保たれた状態で吹出空気が天井方向へ誘導される。
【００８７】
なお、第２風向調整板３２の長手方向の寸法は、第１風向調整板３１の長手方向の寸法以上である。それゆえ、第１風向調整板３１で風向調節された吹出空気すべてを第２風向調整板３２で受けることができ、第２風向調整板３２の側方から吹出空気がショートサーキットすることが防止されるという効果も奏している。
【００８８】
（３−３）下吹きモード
図３Ｅは、下吹き時の第１風向調整板３１及び第２風向調整板３２の側面図である。図３Ｅにおいて、「下吹き」が選択されたとき、制御部４０は第１風向調整板３１の内側面３１ｂの前方端Ｅ１における接線が下向きなるまで第１風向調整板３１を回動させる。
【００８９】
次に、制御部４０は、外側面３２ａの前方端Ｅ２における接線が下向きとなるまで第２風向調整板３２を回動させる。その結果、吹出空気は、第１風向調整板３１と第２風向調整板３２との間を通過し、下向きに吹き出される。
【００９０】
特に、第１風向調整板３１がスクロール１７の終端部の接線角度より下向きになったときでも、制御部４０が下吹きモードを実行することによって、第２風向調整板３２の外側面３２ａに当てて下向きの気流を生成することができる。
【００９１】
（４）特徴
（４−１）
空調室内機１０では、制御部４０がコアンダ効果利用モードを実行することによって、第１風向調整板３１で風向調節された吹出空気をコアンダ効果によって室内機前面部から離れた第２風向調整板３２の下面に沿って流れるコアンダ気流にすることができる。その結果、前面パネル１１ｂに沿わせた気流を生じさせる従来構成と比べて、吹出口１５が開き気味のまま、通風抵抗が低く保たれた状態で吹出空気が所定方向へ誘導される。
【００９２】
（４−２）
また、制御部４０がコアンダ効果利用モードを実行するとき、「第１風向調整板３１および第２風向調整板３２は、スクロール１７の終端部の接線と第２風向調整板３２とが成す内角が、スクロール１７の終端部の接線と第１風向調整板３１とが成す内角よりも大きい」、という条件を満たす姿勢をとる。その結果、吹出空気が天井面に向けられ、且つ天井面に沿って遠くまで届けられる。
【００９３】
（４−３）
また、コアンダ効果利用モードにおいて、第２風向調整板３２の先端部は水平より前方上向きとなる。その結果、第１風向調整板３１で風向調節された吹出空気が水平、若しくは、やや下向きであってもコアンダ効果によって上向きの空気となるので、吹出口１５通過直後の空気が無理に上向きにされる必要がなく、第１風向調整板３１の通風抵抗による圧損が抑制されつつ風向が変更される。
【００９４】
（４−４）
また、コアンダ効果利用モードにおいて、第２風向調整板３２の先端部は吹出口よりも上方に位置する。その結果、第２風向調整板の上側を通過するような気流の発生は抑制され、コアンダ気流の上方への誘導が阻害されにくくなる。
【００９５】
（４−５）
また、コアンダ効果利用モードにおいて、第２風向調整板３２の後端部の高さ位置は運転停止時よりも低くなる。その結果、第２風向調整板３２の後端部が第１風向調整板３１で風向調節された吹出空気の進行路上流側に進入し、上流側でのコアンダ効果によるコアンダ気流が生成し易くなる。
【００９６】
（４−６）
また、コアンダ効果利用モードにおいて、第２風向調整板３２の先端部は吹出口より外側に突出する。その結果、コアンダ気流をより遠方に到達させることができる。
【００９７】
（４−７）
また、第２風向調整板３２先端と本体ケーシング１１との最短距離は、第２風向調整板３２後端と本体ケーシング１１との最短距離よりも大きい。その結果、コアンダ気流が吸込口から遠ざかるので、ショートサーキットが防止される。
【００９８】
（４−８）
また、第２風向調整板３２の長手方向の寸法は、第１風向調整板３１の長手方向の寸法以上である。その結果、第１風向調整板３１で風向調節された吹出空気すべてを第２風向調整板３２で受けることができ、第２風向調整板３２の側方から吹出空気がショートサーキットすることが防止される。
【００９９】
（４−９）
また、第２風向調整板３２が、送風路から外れた場所に設けられた回動軸を中心に回動するので、後端部の高さ位置が運転停止時よりも低くなる。それゆえ、後端部が第１風向調整板３１で風向調節された吹出空気の進行路の上流側に進入し、より上流側で、コアンダ効果によるコアンダ気流が生成し易くなる。
【０１００】
（４−１０）
また、制御部４０は、第１風向調整板３１および第２風向調整板３２それぞれの先端を前方下向きにして吹出空気を下方に導く下吹きモードを有している。第１風向調整板３１がスクロール１７の終端部の接線角度より下向きになったときなどは、制御部４０が下吹きモードを実行することによって、第２風向調整板３２の外側面３２ａに沿った下向きの気流が生成される。
【産業上の利用可能性】
【０１０１】
以上のように、本発明は吹出口１５を閉塞気味にしなくとも吹出空気を所定の方向に誘導することができるので、特に、壁掛け式空調室内機に有用である。
【符号の説明】
【０１０２】
１０  空調室内機
１５  吹出口
１７  スクロール
３１  第１風向調整板
３２  第２風向調整板
４０  制御部
１３０  収容部
３２１  回動軸
【先行技術文献】
【特許文献】
【０１０３】
【特許文献１】特開２００２−６１９３８号公報
【図１】
0005413535.tif 000002
【図２】
0005413535.tif 000003
【図３Ａ】
0005413535.tif 000004
【図３Ｂ】
0005413535.tif 000005
【図３Ｃ】
0005413535.tif 000006
【図３Ｄ】
0005413535.tif 000007
【図３Ｅ】
0005413535.tif 000008
【図４Ａ】
0005413535.tif 000009
【図４Ｂ】
0005413535.tif 000010
【図５Ａ】
0005413535.tif 000011
【図５Ｂ】
0005413535.tif 000012